(57)【要約】【課題】電源起動後に選択された機能のみが起動される用にして省電力化を実現することを可能とする。【解決手段】画像処理部、ファクシミリ通信部、スキャナ部、プリンタ部等の諸機能を複合して併せ持つ画像形成装置において、諸機能を選択的に入力操作可能な操作パネル部と、操作パネル部により電源起動時から設定時間内に機能を選択した入力操作がなされたとき選択された機能のみを起動させる主制御部とを備え、きめ細かな省電力化を実現することによる経済性並びに環境適合性の向上に資することを特徴とする。【選択図】  図３
2007243307.tif 000002
【特許請求の範囲】
【請求項１】
コピー、ファクシミリ、スキャナ、並びに、プリンタ等の諸機能を少なくとも２以上複合して併せ持つ画像形成装置において、
前記諸機能を選択的に入力操作可能な操作部と、
前記操作部により前記電源起動時から設定時間内に機能を選択した入力操作がなされたとき選択された機能のみを起動させる制御部と、
を備えたことを特徴とする画像形成装置。
【請求項２】
請求項１記載の画像形成装置であって、
前記設定時間は、ユーザ設定による設定時間又は電源起動時から前記諸機能が安定稼働可能となるまでの時間とした、
ことを特徴とする画像形成装置。
【請求項３】
請求項２記載の画像形成装置であって、
前記制御部は、前記設定時間が経過するまでの間を機能選択待受モードとして前記操作部による機能選択を待ち、この機能選択待受モード時に前記操作部による機能選択がなされたときには、選択された機能のみを起動させる一方、機能選択待受モード時に前記機能選択キーによる機能選択がなされないときには、全ての機能を起動させるように機能統制制御を行う、
ことを特徴とする画像形成装置。
【請求項４】
請求項３記載の画像形成装置であって、
前記制御部は、前記機能選択待受モードをユーザにより選択可能とした、
ことを特徴とする画像形成装置。
【発明の詳細な説明】
【技術分野】
【０００１】
本発明は、コピー、ファクシミリ、スキャナ、並びに、プリンタ等の諸機能を少なくとも２以上複合して併せ持つ、いわゆるデジタル複合機と呼ばれる画像形成装置に係り、特に、省電力による経済性並びに環境適合性の向上に資する画像形成装置に関する。
【背景技術】
【０００２】
従来、コピー、ファクシミリ、スキャナ、並びに、プリンタ等の諸機能を併せ持つ、いわゆるＭＦＰ（Multi  Function  Peripheral）とも呼ばれる画像形成装置が提供されている。このような画像形成装置においては、これら複数の機能を実現するための各種機器ないし機構の動作、あるいはこれらに対する各別の制御を実施する必要があるため、消費電力の増大化が避けられない。
【０００３】
そこで、従来、かかる課題を解消するため、省電力化を図るための様々な対策が行われてきている。そうした対策のひとつとして、デジタル複合機と呼ばれる画像形成装置において、省エネ状態からの復帰のときに必要な機能のみを起動させ、必要な機能にのみ電力を供給することで省電力化を狙った技術が知られている（特許文献１）。
【０００４】
これに対し、近時、例えばＳＯＨＯ（Small  Office  Home  Office）などと呼ばれる需要者等の間で、処理速度が低速ながら全ての機能を備えたＭＦＰの需要が高まってきている。こうした低速ＭＦＰでは、必要なときにのみ電源を投入し、使用直後には電源をオフするという使い方がされる場合がある。この場合、例え上述した従来技術の構成、すなわち省エネ状態からの復帰のときに必要な機能のみを起動させる構成を採用したとしても、電源起動後には常に諸機能の全てが起動されることになり、省電力化を実現し得なかった。
【０００５】
【特許文献１】特開平２００４−２２２２３４号公報
【発明の開示】
【発明が解決しようとする課題】
【０００６】
解決しようとする問題点は、電源起動後には常に諸機能の全てが起動されることになり、省電力化を実現し得なかった点である。
【課題を解決するための手段】
【０００７】
本発明は、電源起動後に選択された機能のみが起動される用にして省電力化を実現するために、コピー、ファクシミリ、スキャナ、並びに、プリンタ等の諸機能を少なくとも２以上複合して併せ持つ画像形成装置において、前記諸機能を選択的に入力操作する操作部と、前記操作部により前記電源起動時から設定時間内に機能を選択した入力操作がなされたとき選択された機能のみを起動させる制御部とを備えたことを最も主要な特徴とする。
【発明の効果】
【０００８】
本発明に係る画像形成装置は、コピー、ファクシミリ、スキャナ、並びに、プリンタ等の諸機能を少なくとも２以上複合して併せ持つ画像形成装置において、前記諸機能を選択的に入力操作する操作部と、前記操作部により前記電源起動時から設定時間内に機能を選択した入力操作がなされたとき選択された機能のみを起動させる制御部とを備えたため、きめ細かな省電力化を実現することによる経済性並びに環境適合性の向上に資することができる。
【発明を実施するための最良の形態】
【０００９】
電源起動後に選択された機能のみが起動される用にして省電力化を実現するという目的を、電源起動時から設定時間内に機能を選択した入力操作がなされたとき選択された機能のみを起動させる制御部により実現した。
【実施例】
【００１０】
［画像形成装置］
図１は、本発明実施例に係る画像形成装置の機能ブロック図、図２は、本発明に係る画像形成装置の操作パネル部を示す図である。
【００１１】
画像形成装置は、マイクロコンピュータ及び専用のハードウェア回路等から構成される本実施例の制御部である主制御部１１によって制御される。この主制御部１１に接続され諸機能を担う入出力機器として、画像形成装置は、スキャナ部２１、画像処理部３１、プリンタ部４１、操作パネル部５１、ファクシミリ通信部８１、ネットワークＩ／Ｆ（インターフェース）部８３を備える。
【００１２】
主制御部１１は、スキャナ機能を実現するための動作制御を行うスキャナコントローラ１３と、ファクシミリ機能を実現するための動作制御を行うファクシミリコントローラ１５、プリンタ機能を実現するための動作制御を行うプリンタコントローラ１７、並びに、コピー機能を実現するための動作制御を行うコピーコントローラ１９を内蔵し、装置全体の動作を統括制御する。
【００１３】
スキャナ部２１は、図示しないスキャナを構成する画像照射ランプ２３及びＣＣＤ（電荷結合素子：Charge  Coupled  Device）センサー２５を含む。スキャナ部２１は、画像照射ランプ２３により原稿を照射し、その反射光をＣＣＤセンサー２５で受光することにより、原稿から画像を読み取り、読み取った画像に対応する画像データを画像処理部３１へ出力する。
【００１４】
画像処理部３１は、補正部３３、画像加工部３５及び画像メモリ３７を含む。画像処理部３１は、スキャナ部２１で読み取られた画像データを必要に応じて補正部３３及び画像加工部３５により処理し、処理された画像データを画像メモリ３７に記憶したり、プリンタ部４１、ファクシミリ通信部８１等へ出力する。補正部３３は、スキャナ部２１で読み取られた画像データに対してレベル補正、Ｙ補正等の所定の補正処理を行う。画像加工部３５は、画像データの圧縮又は伸張処理、及び拡大又は縮小処理等の種々の加工処理を行う。
【００１５】
プリンタ部４１は、図示しない給紙カセットや給紙ローラ等から構成される用紙搬送部４３、図示しない感光体ドラム、露光装置、現像装置等から構成される画像形成部４５、図示しない転写ローラ等から構成される転写部４７、及び図示しない定着ローラ等から構成される定着部４９を含む。プリンタ部４１は、スキャナ部２１で読み取られた原稿データ、ネットワークＩ／Ｆ部８３を介してＬＡＮ（Local  Area  Network）によりクライアントＰＣ（パーソナルコンピュータ）等から送信された印刷データ、ファクシミリ通信部８１を用いて外部のファクシミリ装置等から受信したファクスデータ等の画像データを用いて画像を用紙に印刷する。具体的には、用紙搬送部４３は用紙を画像形成部４５へ搬送し、画像形成部４５は上記の画像データに対応するトナー像を形成し、転写部４７はトナー像を用紙に転写し、定着部４９はトナー像を用紙に定着させて画像を形成する。
【００１６】
操作パネル部５１は、図１及び図２に示すように、タッチパネル部５３、及びテンキー５５やスタートキー５７等から構成される操作キー部５９を含む。操作パネル部５１は、本実施例において諸機能を選択的に入力操作する操作部であり、ユーザがスキャナ機能、ファクシミリ機能、プリンタ機能、コピー機能等に関する操作を行うために使用され、ユーザによる操作指令等を主制御部１１に与える。
【００１７】
タッチパネル部５３は、タッチパネルとＬＣＤ（Liquid  Crystal  Display）とを組み合わせたタッチパネルユニット等から構成され、種々の操作画面、例えば、コピー機能実行時には、原稿サイズ、コピーサイズ、複写部数等に関する情報を表示するとともに、ユーザが該当部分をタッチすることにより種々の操作指令を入力するための操作ボタン類を表示する。
【００１８】
操作キー部５９は、例えば、コピー機能、プリンタ機能、スキャナ機能、ファクシミリ機能など諸機能のなかから、所要機能のキー入力操作をユーザが選択的に実行する際に用いられるとともに、ユーザが複写部数やコピー実行指令などを操作入力する際に用いられる。このため、操作パネル部５１には、コピー機能のキー入力操作をユーザが選択的に実行するために用いられるコピー機能選択キー６１と、プリンタ機能のキー入力操作をユーザが選択的に実行するために用いられるプリンタ機能選択キー６３と、スキャナ機能のキー入力操作をユーザが選択的に実行するために用いられるスキャナ機能選択キー６５と、ファクシミリ機能のキー入力操作をユーザが選択的に実行するために用いられるファクシミリ機能選択キー６７と、が備えられている。また、操作パネル部５１上におけるコピー機能選択キー６１、プリンタ機能選択キー６３、スキャナ機能選択キー６５、ファクシミリ機能選択キー６７にそれぞれ隣接する位置に、コピー機能選択ＬＥＤ７１、プリンタ機能選択ＬＥＤ７３、スキャナ機能選択ＬＥＤ７５、ファクシミリ機能選択ＬＥＤ７７が設けてある。そして、これらのＬＥＤの点滅状態によって、該当機能の選択状態等を表示するように構成されている。
【００１９】
ファクシミリ通信部８１は、符号化／復号化部（図示省略）、変復調部（図示省略）及びＮＣＵ（Network  Control  Unit）（図示省略）を含む。ファクシミリ通信部８１は、スキャナ部２１によって読み取られた原稿の画像データを電話回線を介してファクシミリ装置等へ送信したり、ファクシミリ装置等から送信された画像データを受信する。
【００２０】
ネットワークＩ／Ｆ部８３は、ネットワークインタフェース（１０／１００Ｂａｓｅ−ＴＸ）等を用い、ＬＡＮを介して接続されたクライアントＰＣ等に対する種々のデータの送受信を制御し、例えば、クライアントＰＣ等から送信されてきた印刷データ等を受信する。
【００２１】
［電源起動時の動作］
次に、本発明に係る画像形成装置の電源起動時における動作制御の流れを説明する。図３は、本発明に係る画像形成装置の電源起動時における動作フローチャートを示す。
【００２２】
ユーザの選択により機能選択待受モードが設定されていれば、電源起動時において、主制御部１１は、装置全体を機能選択待受モードへ移行させる（Ｓ１１）。機能選択待受モードが設定されていなければ定着部４９等が安定するまでの時間が経過したとき全諸機能を起動させる。
機能選択待受時間として、例えば３分間などの所定時間を待受タイマにセットする（Ｓ１２）。なお、機能選択待受モードとは、コピー機能、プリンタ機能、スキャナ機能、ファクシミリ機能などの諸機能を起動させることなく、これら諸機能のうちいずれかの機能キー入力操作がユーザによってなされるのを待受けている状態を言う。この機能選択待受モードを維持するには、スキャナ機能、ファクシミリ機能、プリンタ機能、コピー機能などの諸機能をそれぞれ司るスキャナコントローラ１３、ファクシミリコントローラ１５、プリンタコントローラ１７、コピーコントローラ１９に対して、電源供給は行うがリセット解除は行わないようにすればよい。また、Ｓ１２でセットされるタイマ時間は、ユーザの要望に応じて適宜変更することができる。
なお、ユーザの選択に係わらず電源起動時に機能選択待受モードとし、機能選択待受時間を定着部４９、転写部４７等が安定し、或いはスキャナコントローラ１３，ファクシミリコントローラ１５，プリンタコントローラ１７，コピーコントローラ１９のプログラム展開による機能チェックにより諸機能が安定稼働可能となるまでの時間とすることもできる。
【００２３】
Ｓ１３において、主制御部１１は、待受タイマがタイムアップしたか否かの判定を行う。Ｓ１３の判定の結果、待受タイマがタイムアップしていないと判定されたとき、主制御部１１は、機能選択キーの入力操作がユーザによってなされたか否かを判定する（Ｓ１４）。Ｓ１４の判定の結果、機能選択キーの入力操作がユーザによってなされていないと判定されたとき、主制御部１１は、処理の流れをＳ１３に戻し、以下の処理を繰り返す。
【００２４】
一方、Ｓ１４の判定の結果、機能選択キーの入力操作がユーザによってなされたと判定されたとき、主制御部１１は、選択された機能を起動する処理を実行する。このとき、選択された機能以外の機能については、機能選択待受モードを維持する。具体的には、例えば、Ｓ１４の判定の結果、スキャナ機能選択キー６５の入力操作がユーザによってなされたと判定された場合、スキャナ機能のみを起動し、その他のコピー機能、プリンタ機能、ファクシミリ機能については、起動させることなく機能選択待受モードを維持する。また、例えば、Ｓ１４の判定の結果、スキャナ機能選択キー６５及びファクシミリ機能選択キー６７の入力操作がユーザによってなされたと判定された場合、スキャナ機能及びファクシミリ機能のみを起動し、その他のコピー機能、プリンタ機能については、起動させることなく機能選択待受モードを維持する。
【００２５】
Ｓ１６において、主制御部１１は、装置本体電源のオフ操作がユーザによってなされたか否かを判定する。Ｓ１６の判定の結果、装置本体電源のオフ操作がユーザによってなされていないと判定されたとき、主制御部１１は、処理の流れをＳ１３に戻し、以降の処理を繰り返す。一方、Ｓ１６の判定の結果、装置本体電源のオフ操作がユーザによってなされたと判定されたとき、主制御部１１は、全ての動作を終了させる。
【００２６】
Ｓ１３に戻り説明を続けると、Ｓ１３の判定の結果、待受タイマがタイムアップしていると判定されたとき、主制御部１１は、コピー機能、プリンタ機能、スキャナ機能、ファクシミリ機能を含む全ての機能を起動し、この後、処理の流れをＳ１６に進行させて、以降の処理を繰り返す。
【００２７】
このように、主制御部１１は、装置本体の電源起動時からあらかじめ設定される所定の待受時間が経過するまでの間を機能選択待受モードとして機能選択を待ち、この機能選択待受モード時に機能選択がなされたときには、選択された機能を起動させる一方、機能選択待受モード時に機能選択がなされないときには、全ての機能を起動させるように機能統制制御を行うようにしたので、例えば低速ＭＦＰにおいて必要なときにのみ電源を投入し、使用直後には電源をオフするという使い方がなされる場合であっても、きめ細かな省電力化を実現することによる経済性並びに環境適合性の向上に資することができる。
【００２８】
但し、本発明の実施例は、低速ＭＦＰに限らず適用することができる。
【００２９】
本発明は、上述した本実施例に限定されることなく、請求の範囲及び明細書全体から読み取れる発明の要旨あるいは技術思想に反しない範囲で適宜変更可能であり、そのような変更を伴う画像形成装置もまた、本発明の技術的範囲の射程に包含される。
【００３０】
具体的には、例えば、本実施例において、操作パネル部５１上に配設される操作キー部５９に含まれるものとして、コピー機能選択キー６１、プリンタ機能選択キー６３、スキャナ機能選択キー６５、ファクシミリ機能選択キー６７を例示して説明したが、本発明はこの例に限定されることなく、例えば、タッチパネル部５３の操作画面に、コピー機能選択キー、プリンタ機能選択キー、スキャナ機能選択キー、ファクシミリ機能選択キーを表示させ、ユーザが該当キーをタッチすることにより、機能選択を行うように構成してもよい。
【００３１】
また、本実施形態において、機能選択待受モードが解除されている機能はどれか？をユーザに報知するために、例えば、スキャナ機能選択キー６５、及びファクシミリ機能選択キー６７がユーザによって選択的に入力操作されているときには、スキャナ機能選択ＬＥＤ７５、及びファクシミリ機能選択ＬＥＤ７７を点灯させればよい。この場合、コピー機能、及びプリンタ機能は機能選択待受モードを維持しているわけであるが、いつまでのあいだ機能選択待受モードが維持されるのかをユーザに報知できれば便利である。そのためには、機能選択待受モードを維持している機能に該当する機能選択ＬＥＤを点滅させるとともに、その点滅速度を、待受タイマの残時間に応じて変化させるように構成すればよい。
これについて、具体例をあげて説明すると、コピー機能、及びプリンタ機能が機能選択待受モードを維持している場合には、コピー機能選択ＬＥＤ７１、及びプリンタ機能選択ＬＥＤ７３を点滅させ、その際に、コピー機能選択ＬＥＤ７１、及びプリンタ機能選択ＬＥＤ７３の点滅速度を、待受タイマの残時間が少なくなるにつれて速くなるように可変制御すればよい。
【００３２】
最後に、本実施形態では、動作フローチャート図で示した各種処理手順を、主制御部１１が所定のプログラムに従って入出力機器とデータ交換しながら実行する例をあげて説明したが、本発明はこの例に限定されることなく、主制御部１１の機能をハードウェアによって実現するように構成してもよいことは勿論である。
【図面の簡単な説明】
【００３３】
【図１】本発明に係る画像形成装置の機能ブロック図である。
【図２】本発明に係る画像形成装置の操作パネル部を示す図である。
【図３】本発明に係る画像形成装置の電源起動時における動作フローチャート図である。
【符号の説明】
【００３４】
１１  主制御部（制御部）
２１  スキャナ部（諸機能）
３１  画像処理部（諸機能）
４１  プリンタ部（諸機能）
５１  操作パネル部（操作部）
８１  ファクシミリ通信部（諸機能）
８３  ネットワークＩ／Ｆ部（諸機能）
【図１】
2007243307.tif 000003
【図２】
2007243307.tif 000004
【図３】
2007243307.tif 000005